(57)【要約】【課題】インナーケース内で電動送風機が位置ずれすることなく、しかも静音性を高めることができる電気掃除機を提供する。【解決手段】電動送風機１０が収容されたインナーケース３０は、圧縮コイルバネ４０，４０を介して掃除機本体２内において弾性支持されている。インナーケース３０の上部には、ケース排出口３０ｂが形成され、ケース排出口３０ｂにはフィルタ部材５０が設けられている。フィルタ部材５０の上部には、カバー部材７０が設けられている。カバー部材７０は、防振材６０を介してフィルタ部材５０を支持し、ネジを介して掃除機本体２に固定されている。また、カバー部材７０の内部には、仕切壁部７０ｊが設けられ、フィルタ部材５０から排出された排気が、仕切壁部７０ｊと側壁部７０ｃとの間に形成された案内路Ｒ１を通るように構成されている。【選択図】図７
2010075547.tif 000002
【特許請求の範囲】
【請求項１】
電動送風機を収容するとともに、吸引された排気を上部に設けられたケース排出口を通して排出するインナーケースと、
前記インナーケースを、弾性支持部材を介して支持する掃除機本体と、
前記ケース排出口の上部に設けられ、前記排気を前記掃除機本体の外部に排出する排気口と、を備えた電気掃除機であって、
前記ケース排出口の上部を覆い、前記ケース排出口からの排気を前記インナーケースの下方に向けて導く案内路が形成されたカバー部材を有し、
前記カバー部材は、弾性部材を介して前記インナーケースに取り付けられ、前記掃除機本体に固定されるように構成したことを特徴とする電気掃除機。
【請求項２】
前記ケース排出口は、略四角形状の開口を有するとともにコードリールと左右方向に並んで配置され、
前記案内路は、前後方向の後側と、前記コードリール側とに位置していることを特徴とする請求項１に記載の電気掃除機。
【請求項３】
前記カバー部材は、外方に向けて凸状に形成された天井壁部を有していることを特徴とする請求項１または請求項２に記載の電気掃除機。
【請求項４】
前記カバー部材の内側には、前記弾性部材と面接触する仕切壁部が設けられ、前記仕切壁部と前記天井壁部との間に連通口が形成されていることを特徴とする請求項３に記載の電気掃除機。
【請求項５】
前記カバー部材の内側には、前記天井壁部から側壁部にかけて突出する複数のリブが形成され、前記リブに前記弾性部材が当接して、前記リブとリブとの間に前記案内路が形成されていることを特徴とする請求項３または請求項４に記載の電気掃除機。
【請求項６】
前記ケース排出口にはフィルタ部材が設けられていることを特徴とする請求項１から請求項５のいずれか１項に記載の電気掃除機。
【発明の詳細な説明】
【技術分野】
【０００１】
本発明は、電動送風機が弾性支持された電気掃除機に関する。
【背景技術】
【０００２】
電気掃除機では、生活スタイルの多様化により、夜間に掃除機をかける人が増加しているため、電気掃除機の騒音の低減化が求められる傾向にある。騒音の低減化の対策として、電動送風機をインナーケース（防音室）で覆うとともにインナーケース内において圧縮コイルバネで支持し、さらにインナーケースを弾性体によって掃除機本体に支持する技術が提案されている（例えば、特許文献１参照）。
【０００３】
また、電動送風機によって吸引された空気をインナーケースから排出する際の開口部を電動送風機の下側に設けると、電動送風機の重心位置が高くなり、掃除機が転倒し易くなる問題があった。このため、インナーケースの開口部を電動送風機の上部に設けるようにした技術が提案されている（例えば、特許文献２参照）。
【特許文献１】特許第３８６４６６０号公報（図３）
【特許文献２】特開２００８−７９９０３号公報（段落００１８、図４）
【発明の開示】
【発明が解決しようとする課題】
【０００４】
しかしながら、特許文献１に記載の電気掃除機では、インナーケースの下部を掃除機本体に弾性体を介して支持させると、掃除機本体の外部から強い衝撃が与えられたときに、インナーケース内の電動送風機の位置がずれて送風路の気密性が低下して吸込み力が低下するという問題があった。
【０００５】
また、床面の塵埃等を巻き上げないようにするために、掃除機本体から排出される排気口を高い位置に設けることが望まれる。しかし、排気口を高い位置に設けた場合、特許文献２に記載の電気掃除機のようにインナーケースの上部にケース排出口を設けると、開口部と掃除機本体に設けられた排気口との距離が短くなり、電動送風機の音源から発生した騒音が直ちに排気口から排出されて、騒音が大きくなるという問題があった。なお、ケース排出口をインナーケースの下部に設けると、音源と排気口との距離を長くできるが、電動送風機の重心位置が高くなり、前記のように掃除機本体が転倒しやすくなるという問題がある。
【０００６】
本発明は、前記従来の問題を解決するものであり、インナーケース内で電動送風機が位置ずれすることなく、しかも静音性を高めることができる電気掃除機を提供することを課題とする。
【課題を解決するための手段】
【０００７】
本発明は、電動送風機を収容するとともに、吸引された排気を上部に設けられたケース排出口を通して排出するインナーケースと、前記インナーケースを、弾性支持部材を介して支持する掃除機本体と、前記ケース排出口の上部に設けられ、前記排気を前記掃除機本体の外部に排出する排気口と、を備えた電気掃除機であって、前記ケース排出口の上部を覆い、前記ケース排出口からの排気を前記インナーケースの下方に向けて導く案内路が形成されたカバー部材を有し、前記カバー部材は、弾性部材を介して前記インナーケースに取り付けられ、前記掃除機本体に固定されるように構成したことを特徴とする。
【発明の効果】
【０００８】
本発明の電機掃除機によれば、インナーケース内で電動送風機が位置ずれすることなく、しかも静音性を高めることができる。
【発明を実施するための最良の形態】
【０００９】
以下、本実施形態の電気掃除機について図面を参照して説明する。
図１は本実施形態の未使用状態の電気掃除機を示す外観図である。なお、図１は、先端の延長管３をホース４から取り外して、掃除機本体２を床面Ｙに立てて収納したときの状態である。
【００１０】
本実施形態の電気掃除機１は、掃除機本体２に接続されたホース４が、掃除機本体２の周囲に巻き付けられ、ホース４の先端に取り付けられたグリップ５がホース４の基端部に係止された状態で収納される。また、掃除機本体２とホース４との接続部分には、手で把持することができる小型の取手６が設けられている。なお、以下では、紙パック式の電気掃除機を例に挙げて説明するが、サイクロン式の電気掃除機に適用することもできる。
【００１１】
また、電気掃除機１は、掃除機本体２の後側（図示下側）に、弓型形状の運搬用の大型のハンドル７が掃気機本体２の上部に回動自在に支持されるとともに、電源コード９１（図８参照）を掃除機本体２内に収納する際に押圧操作される電源コード巻取ボタン８が設けられている。また、電気掃除機１は、掃除機本体２の前部（図示上側）に、集塵室２ａ（図３参照）を覆い、紙パックの着脱を行う際に開閉される蓋体９が掃除機本体２に回動自在に設けられている。なお、図３では、紙パックの樹脂を省略している。
【００１２】
図２は、電気掃除機を斜め右後方から見たときの外観斜視図である。図２に示すように、掃除機本体２は、下ケース２１、上ケース２２、側面カバー２３，２４を有している。また、上ケース２２には、床面から高い位置に、後ろから左右の側面にかけて、排気が排出される排気口２５が形成されている。この排気口２５は、複数の縦長のスリット状の貫通孔２５ａが並設されるとともに斜め上向きで、かつ内側に湾曲するように構成されている。
【００１３】
また、掃除機本体２は、下ケース２１の右側と側面カバー２３との間において車輪（後輪）Ｗ１が回転自在に支持され、下ケース２１の左側と側面カバー２４との間において車輪（後輪）Ｗ２が回転自在に支持されている。また、各車輪Ｗ１，Ｗ２は、下ケース２１と側面カバー２３，２４との間において、車輪Ｗ１，Ｗ２の周囲の一部が掃除機本体２から露出して突出するように構成されている。また、下ケース２１の集塵室２ａ側の下面には、回転可能、かつ、車輪の向きが可変となる車輪（前輪）Ｗ３が設けられている（図７，８参照）。
【００１４】
また、下ケース２１の後面には、車輪Ｗ１，Ｗ２と排気口２５との間に、外側に向けて突出する支持部２７が形成されている。これにより、掃除機本体２を図１のように立てて収納したときに、この支持部２７と車輪Ｗ１，Ｗ２とで３点支持されて、掃除機本体２が転倒しないようになっている。
【００１５】
図３は、電気掃除機の内部を示す分解斜視図である。図３に示すように、電気掃除機１は、電動送風機１０（図７参照）を収容したインナーケース３０、圧縮コイルバネ（弾性支持部材）４０，４０、フィルタ部材５０、防振材（弾性部材）６０、カバー部材７０、放電電極８０（図７参照）、制御基板１００、モータ制御基板１１０（図７，８参照）などで構成されている。
【００１６】
インナーケース３０は、合成樹脂などで略円筒状に形成され円筒部３０ｓを有し、その円筒部３０ｓの内部に後記する電動送風機１０が収容されている。また、インナーケース３０は、前面に集塵室２ａからの排気を吸引する吸気口３０ａ（図７参照）、および上部に吸気口３０ａから吸引された排気を排出するケース排出口３０ｂ（図７，８参照）がそれぞれ形成され、後部に後方に突出する略長方形状の腕部３０ｃ，３０ｄが左右方向に間隔を開けて形成されている。また、腕部３０ｃ，３０ｄの先端部の下面には、円形凹状の支持穴３０ｃ１，３０ｄ１が形成されている。また、インナーケース３０の円筒部３０ｓには、ゴムなどの弾性材で形成された支持部材３１が、その前端部の周囲全体と、吸気口３０ａを除く前面（図７参照）とが覆われるように設けられている。
【００１７】
また、インナーケース３０は、圧縮コイルバネ４０，４０によって掃除機本体２内に弾性支持されている。すなわち、圧縮コイルバネ４０、４０は、その上側の一端が腕部３０ｃ，３０ｄの支持穴３０ｃ１，３０ｄ１に挿入され、下側の他端が掃除機本体２内部の底面２ｂに突出して形成された支持突起２ｃ，２ｄに外挿されて、インナーケース３０の後部が掃除機本体２に対して弾性支持されている。なお、インナーケース３０の前部は、支持部材３１の下面部が掃除機本体２に当接することにより弾性支持されている。したがって、インナーケース３０の内部の電動送風機１０からの振動は、支持部材３１およびコイルばね４０，４０によって吸収されるようになっている。また、支持部材３１の前面部は、インナーケース３０側と集塵室２ａ側との隔壁に形成された連通孔２ｅの周縁部に当接することにより（図７参照）、連通孔２ｅを通過した排気すべてが、吸気口３０ａからインナーケース３０内に取り込まれるようになっている。
【００１８】
なお、図示していないが、電動送風機１０（図７参照）は、金属製のモータケース内にファンおよび電動機が収容され、ファンが前方に向けられるとともに後側に設けられた電動機の出力軸と接続されるようにして構成されている。集塵室２ａから吸気口３０ａを介して吸引された排気は、モータケースに設けられた吐出口（図示せず）からインナーケース３０内に吐出される。
【００１９】
また、インナーケース３０のケース排出口３０ｂは、略四角形状の開口を有し、各辺部が前後左右を向くように構成されている。また、ケース排出口３０ｂは、後側よりも前側の位置が高くなるように傾斜している。
【００２０】
図３に示すように、フィルタ部材５０は、例えばＵＬＰＡフィルタ（Ultra Low Penetration Air Filter）やＨＥＰＡフィルタ（High Efficiency Particulate AirFilter）などでひだ状に折り畳まれたフィルタ５１と、略四角形状の枠体５２とで構成され、枠体５２の内側全体にフィルタ５１が配設されるように構成されている。枠体５２の外周面には、図７に示すように、周方向全体にわたってつば部５２ａが形成され、つば部５２ａの下面がケース排出口３０ｂの開口縁部に当接し(図７参照)、つば部５２ａの上面が後記する防振材６０の下端部に当接している。なお、枠体５２は、丸形、多角形などどのような形状でも構成できる。
【００２１】
なお、フィルタ５１は、例えば、最内層（上流側）に抗菌剤を塗布した層、中間層にマイナスに帯電した不織布からなる層、最外層（下流側）に強度を与えるための骨材からなる層の３層構造で構成されている。また、フィルタ部材５０は、フィルタ５１と枠体５２との隙間の気密性が保たれるように、つまり電動送風機１０からの排気はすべてフィルタ部材５０を通るように、接着剤などを介して取り付けられている。また、枠体５２は、複数のネジＳ１を介してインナーケース３０の所定のネジ穴に着脱自在に取り付けられている。
【００２２】
図３に示すように、防振材６０は、ゴムなどの振動を吸収することができる弾性材料で形成され、四角枠状に形成され、フィルタ部材の枠体５２の外周壁面に嵌合するようにして取り付けられている。
【００２３】
図３ないし図６に示すように、カバー部材７０は、合成樹脂などで形成され、インナーケース３０の上部に設けられたフィルタ部材５０の上部および側面全体を覆うように構成されている。図４は組付け後の電気掃除機の内部を示す斜視図、図５はカバー部材を上面から見たときの平面図、図６はカバー部材を内側から見たときの斜視図である。
【００２４】
カバー部材７０は、山型形状となる天井壁部７０ａ、天井壁部７０ａの前端辺部が下方に延びる側壁部７０ｂ、後端辺部が下方に延びる側壁部７０ｃ、左右辺部が下方に延びる側壁部７０ｄ，７０ｅをそれぞれ有している。また、側壁部７０ｃは、側壁部７０ｂよりも下方に長く延びて形成され、側壁部７０ｅは、側壁部７０ｄよりも下方に長く延びて形成されている。
【００２５】
図５に示すように、カバー部材７０は、上面視で略四角形状であり、掃除機本体２に固定するための固定部７０ｆ，７０ｇ，７０ｈが一体に形成されている。固定部７０ｆ，７０ｇは、それぞれ前方に突出して形成され、先端にネジ挿通孔７０ｆ１，７０ｇ１が形成されている。固定部７０ｈは、側壁部７０ｃと一体にネジ挿通孔７０ｈ１が形成されている。
【００２６】
図６に示すように、カバー部材７０の内側には、天井壁部７０ａと側壁部７０ｅとの角部に、複数の板状のリブ７０ｉ１，７０ｉ２，７０ｉ３，７０ｉ４が一体に形成されている。このリブ７０ｉ１，７０ｉ２，７０ｉ３，７０ｉ４は、それぞれの各面が前後方向を向き、かつ、前後方向に互いに間隔を開けて配置されている。また、前側から後側にかけてリブ７０ｉ１，７０ｉ２，７０ｉ３，７０ｉ４は、それぞれ上下方向の長さが次第に長くなるように形成され、上部から下部に向かう途中において、幅が狭くなる切欠部７０ｉ５が形成されている。
【００２７】
図３に示すように、カバー部材７０は、ネジ挿通孔７０ｆ１，７０ｇ１，７０ｈ１（図６参照）にそれぞれネジＳ２が挿通されて、掃除機本体２に形成されたボス２ｆ，２ｇ，２ｈに螺合することで、カバー部材７０が掃除機本体２に固定される（図３参照）。これにより、図４に示すように、カバー部材７０は、後側に位置する側壁部７０ｃ（図３参照）が、掃除機本体２とインナーケース３０との間に深く入り込むようにして取り付けられる。
【００２８】
図７は図１のＡ−Ａ線断面図、図８は図１のＢ−Ｂ線断面図である。なお、図７および図８において、排気の流れは、黒い太実線で図示している。
図７に示すように、カバー部材７０は、後側に位置する防振材６０の周面が仕切壁部７０ｊと面接触してフィルタ部材５０との間を閉塞するとともにインナーケース３０を弾性支持している。しかし、仕切壁部７０ｊの上部に形成された連通口７０ｓを介してカバー部材７０の後部がインナーケース３０の外部と連通している。また、カバー部材７０は、前側に位置する防振材６０の上端縁部６０ａが天井壁部７０ａに当接することにより、フィルタ部材５０の前側の流路を閉塞するとともにインナーケース３０を弾性支持している。
【００２９】
図８に示すように、カバー部材７０は、右側に位置する防振材６０の周面が側壁部７０ｄの内面と面接触して閉塞するとともにインナーケース３０を弾性支持している。また、カバー部材７０は、左側に位置する防振材６０の周面が、リブ７０ｉ１，７０ｉ２，７０ｉ３，７０ｉ４の各切欠部７０ｉ５（図６参照）に当接することによりインナーケース３０を弾性支持している。しかし、側壁部７０ｂとリブ７０ｉ１との間、リブ７０ｉ１とリブ７０ｉ２との間、リブ７０ｉ２とリブ７０ｉ３との間、リブ７０ｉ３とリブ７０ｉ４との間、リブ７０ｉ４と仕切壁部７０ｊとの間を介してカバー部材７０の左側部がインナーケース３０の外部と連通している。
【００３０】
図７に示すように、放電電極８０は、電動送風機１０の吐出口（不図示）とフィルタ部材５０との間に形成された閉鎖空間Ｑに設けられている。また、放電電極８０は、ハケ状電極と板状電極とが左右方向に所定間隔、離れるように配置して構成されている。なお、放電電極８０に排気が直接に当たることがないように、放電電極８０の下部に図示しない遮蔽板が位置するように構成されている。
【００３１】
また、放電電極８０は、ハケ状電極および板状電極がそれぞれリード線（不図示）と接続され、各リード線がインナーケース３０の外側に、気密性が損なわれないようにシール部材などを介して引き出されている。よって、電動送風機１０によってインナーケース３０の吸気口３０ａから吸引された排気は、すべてフィルタ部材５０を通ってインナーケース３０の外側に排出されるようになっている。なお、放電電極８０は、前記リード線を介してインナーケース３０の外側に設けられた高電圧発生装置（不図示）と接続されている。高電圧発生装置は、掃除機本体２にねじ止めなどによって固定されている。
【００３２】
図８に示すように、コードリール９０は、インナーケース３０の左側に並設され、左右方向が回転軸となるように電源コード９１が巻回されたリールが掃除機本体２に支持されている。
【００３３】
図７に示すように、制御基板１００は、メイン基板であり、例えば、使用時に放電電極８０に高電圧を発生させるように制御し、またごみ捨てランプなどの各種ランプを必要時に点灯させるように制御する。なお、図７では、基板上に設けられる素子の図示を省略している（後記するモータ制御基板１１０についても同様）。また、制御基板１００は、インナーケース３０の背面に沿うように縦置きに、かつ、腕部３０ｃと腕部３０ｄとの間に位置するように（図３参照）、インナーケース３０にねじなどで固定されている。
【００３４】
図７および図８に示すように、モータ制御基板１１０は、電動送風機１０の電動機（不図示）の回転を制御する基板であり、双方向性半導体素子（トライアックともいう）などを備えている。さらに詳述すると、双方向性半導体素子を用いて交流の位相角を変え（位相制御）、電動機へ流れる電流を変化させ、電動機の回転を制御する。なお、このモータ制御基板１１０は、インナーケース３０の底面に沿うように水平に配置されている。
【００３５】
次に、本実施形態の電気掃除機１の作用および効果について図７および図８を主に参照しながら説明する。
【００３６】
図７に示すように、制御基板１００およびモータ制御基板１１０の制御によって電動機が駆動されてファンが回転すると、延長管３（図１参照）の先端に取り付けられた吸口から塵埃が吸引され、ホース４を通って、集塵室２ａ（図３，４参照）に取り込まれる。集塵室２ａに装着された紙パックを通過した排気は、連通孔２ｅを通ってインナーケース３０の前面に形成された吸気口３０ａから吸い込まれる。インナーケース３０内に吸い込まれた排気は、ファンを回り込むようにして後方へと流れ、モータケースと電動機との間の隙間を通って吐出口からインナーケース３０内に排出される。
【００３７】
そして、インナーケース３０内に排出された排気は、その排気に含まれる塵埃のほぼすべてがフィルタ５１によって除去される。また、排気に含まれる塵埃はもともとプラスに帯電しているので、制御基板１００の制御によって、高電圧発生装置を介して放電電極８０が高電圧状態に設定されると、放電電極８０からマイナスの電荷（マイナスイオン）が発生して、プラスに帯電した塵埃とプラスに帯電した塵埃とがマイナスの電荷と結合して、プラスに帯電した状態のより大きな塵埃になり、フィルタ５１によって捕集される。つまり、放電電極８０によってマイナスの電荷を介して塵埃同士を互いに吸着させることで塵埃の塊を作って、捕塵効率を上げることができるようになっている。このように、塵埃の塊を作ることにより、フィルタ５１での捕塵効率が高められる。
【００３８】
さらに、前記したように、フィルタ５１にはマイナスに帯電した層が設けられているので、プラスに帯電した塵埃がフィルタ５１に吸着し易くなり、捕塵効率がさらに高められる。さらに、電動送風機１０の吐出口とフィルタ５１との間がインナーケース３０によって閉鎖空間Ｑとされているので、吐出口から排出された排気はすべてフィルタ５１を通過して、捕塵効率がさらに高められるようになっている。
【００３９】
そして、フィルタ部材５０を通過した排気は、カバー部材７０の天井壁部７０ａに向けて排出される。そして、天井壁部７０ａに向けて排出された排気は、連通口７０ｓを介して側壁部７０ｃと仕切壁部７０ｊとの間に形成された案内路Ｒ１を通り（図７参照）、また側壁部７０ｂとリブ７０ｉ１との間、リブ７０ｉ１とリブ７０ｉ２との間、リブ７０ｉ２とリブ７０ｉ３との間、リブ７０ｉ３とリブ７０ｉ４との間、リブ７０ｉ４と仕切壁部７０ｊとの間で構成された案内路Ｒ２を通って（図８参照）、掃除機本体２内に排出される。
【００４０】
本実施形態では、カバー部材７０の天井壁部７０ａが凸状に形成されているので、フィルタ部材５０から排出された排気が一旦膨張し、案内路Ｒ１，Ｒ２を通ることによって収縮するので、膨張型消音装置として機能して、電動送風機１０から発生する騒音を低減させることができる。また、案内路Ｒ１から排出された排気は、カバー部材７０の側壁部７０ｃと掃除機本体２の下ケース２１との間を通って上昇し、排気口２５の各貫通孔２５ａから掃除機本体２の外部に排出される（図７参照）。また、フィルタ部材５０から案内路Ｒ２を通って排出された排気は、インナーケース３０の左隣に設けられたコードリール９０内に形成された排気通路（図示せず）を通って、コードリール９０の左側に位置する排気口２５から掃除機本体２の外部に排出される。
【００４１】
ところで、電気掃除機１では、振動を防止するためにインナーケース３０を圧縮コイルバネ４０，４０などの弾性支持部材で支持している。しかし、電気掃除機１では、電動送風機１０によって負圧を発生させることにより、高い吸引力を発生させているため、高所から落下したり、壁面に強く衝突したときなど、外部から強い衝撃が加えられたときに、インナーケース３０内において電動送風機１０の位置がずれることにより、負圧力が低下し、吸引力が低下するおそれがある。
【００４２】
そこで、インナーケース３０を圧縮コイルバネ４０，４０で支持するように構成した本実施形態の電気掃除機１では、防振材６０を間に挟んでカバー部材７０を掃除機本体２にねじ固定するように構成したことに特徴を有している。これにより、インナーケース３０がより強固に弾性支持されるので、インナーケース３０が大きく移動するのを抑えることが可能になり、仮に電気掃除機１の外部から強い衝撃が加えられたとしても、インナーケース３０内の電動送風機１０が大きく移動したりすることがない。よって、振動を防止するためにインナーケース３０を圧縮コイルバネ４０，４０で支持するような構成であったとしても、吸引力を低下させることがない。しかも、排気のケース排出口が電動送風機１０の上側に位置しているので、電動送風機１０の重心が高くなり過ぎることがなく、掃除機本体２が転倒し易くなるといったことも防止できる。
【００４３】
また、本実施形態の電気掃除機１によれば、フィルタ部材５０の上部を覆うようにカバー部材７０を設けたので、フィルタ部材５０（ケース排出口３０ｂ）から排出された排気が直接に排気口２５から排出されることがなく、案内路Ｒ１を介して上部に位置する排気口２５から遠くなる方向に案内しているので、電動送風機１０の騒音源から排気口２５までの距離を長く設定することができ、静音性を高めることができる。
【００４４】
また、本実施形態の電気掃除機１によれば、フィルタ部材５０から排出された排気を、右側の側壁部７０ｄからではなく、左側の側壁部７０ｅから排出するようにしたので、フィルタ部材５０から排出された排気が側壁部７０ｄの右側に位置する排気口２５から排出されることがなく、コードリール９０を間に挟んで左側に位置する排気口２５から排出することができるので、電動送風機１０からの騒音源から排気口２５までの距離を長く設定することができ、静音性を高めることができる。
【００４５】
なお、本実施形態では、インナーケース３０の左側にコードリール９０を設けた場合を例に挙げて説明したが、インナーケース３０の右側にコードリール９０を設けた場合には、前記とは逆にコードリール９０に近い側の側壁部に案内路を設けるようにすればよい。
【００４６】
また、本実施形態では、カバー部材７０に複数のリブ７０ｉ１，７０ｉ２，７０ｉ３，７０ｉ４が形成されているので、案内路Ｒ２を形成するだけではなく、カバー部材７０の強度を高めることができる。さらに、リブ７０ｉ１，７０ｉ２，７０ｉ３，７０ｉ４に切欠部７０ｉ５を形成して、防振材６０を当接させることにより、カバー部材７０を支持する支持部を増やすことができ、インナーケース３０をより強固に支持することが可能になる。さらに、防振材６０の右側の周面がカバー部材７０の側壁部７０ｄと面接触して支持され、防振材６０の左側の周面がカバー部材７０のリブ７０ｉ１，７０ｉ２，７０ｉ３，７０ｉ４の切欠部７０ｉ５に当接しているので、左右方向に対する衝撃に対してもインナーケース３０を安定して支持することができる。
【００４７】
また、本実施形態によれば、カバー部材７０に仕切壁部７０ｊを設けることによっても、カバー部材７０の強度を高めることができる。しかも、カバー部材７０の仕切壁部７０ｊに防振材６０を面接触させて支持させているので、インナーケース３０をより安定して支持することができる。
【００４８】
なお、本発明は、前記した実施形態に限定されるものではなく、例えば、カバー部材７０の内壁や、排気が通過する流路に吸音材などを設けて、静音性を高めるようにしてもよい。
【００４９】
また、案内路Ｒ１の出口に、制御基板１００に実装された発熱部品、高電圧発生装置を配置するようにして、発熱部品や高電圧発生装置の冷却性を向上させるようにしてもよい。
【図面の簡単な説明】
【００５０】
【図１】本実施形態の未使用状態の電気掃除機を示す外観図である。
【図２】電気掃除機を斜め右後方から見たときの外観斜視図である。
【図３】電気掃除機の内部を示す分解斜視図である。
【図４】組付け後の電気掃除機の内部を示す斜視図である。
【図５】カバー部材を上面から見たときの平面図である。
【図６】カバー部材を内側から見たときの斜視図である。
【図７】図１のＡ−Ａ線断面図である。
【図８】図１のＢ−Ｂ線断面図である。
【符号の説明】
【００５１】
１      電気掃除機
２      掃除機本体
１０    電動送風機
２５    排気口
３０    インナーケース
３０ｂ  ケース排出口
４０    圧縮コイルバネ（弾性支持部材）
５０    フィルタ部材
６０    防振材（弾性部材）
７０    カバー部材
７０ａ  天井壁部
７０ｉ１，７０ｉ２，７０ｉ３，７０ｉ４  リブ
７０ｊ  仕切壁部
７０ｓ  連通口
９０    コードリール
Ｒ１，Ｒ２  案内路
【図１】
2010075547.tif 000003
【図２】
2010075547.tif 000004
【図３】
2010075547.tif 000005
【図４】
2010075547.tif 000006
【図５】
2010075547.tif 000007
【図６】
2010075547.tif 000008
【図７】
2010075547.tif 000009
【図８】
2010075547.tif 000010